(57)【要約】【課題】トップキャップ付き容器において、トップキャップを取り外すときの戸惑いをなくしてトップキャップの着脱操作性を向上する。【解決手段】容器１００にトップキャップ２００を被せて互いのクリック係止部３１・３２を係止することにより掛け止めし、容器にトップキャップを着脱自在に取り付ける。容器には楕円形状の嵌合凸部１０を形成する一方、トップキャップには、そのトップキャップを容器に被せるとき嵌合凸部がはまり込む楕円形状の嵌合凹部２８を形成する。そして、その嵌合凹部の内周面に、容器に取り付けた状態でトップキャップを、被せて着脱する方向まわりｃに回動したとき、容器の一部である嵌合凸部の長径部１０ａが入り込む内面凹部３０を設ける。その内面凹部には、トップキャップを回動するにつれて容器を押してその反作用でクリック係止部の係止を外す傾斜面３３を設ける。【選択図】図５
2007246161.tif 000002
【特許請求の範囲】
【請求項１】
容器にトップキャップを被せて互いのクリック係止部を係止することにより掛け止めし、前記容器に前記トップキャップを着脱自在に取り付けるトップキャップ付き容器において、
前記容器に取り付けた状態で前記トップキャップを、被せて着脱する方向まわりに回動したとき、前記容器の一部が入り込む内面凹部を前記トップキャップの内周面に形成し、その内面凹部に、前記トップキャップを大きく回動するにつれて前記容器を押してその反作用で前記クリック係止部の係止を外す傾斜面を設けることを特徴とする、トップキャップ付き容器。
【請求項２】
前記容器に楕円形状の嵌合凸部を形成する一方、前記トップキャップに、そのトップキャップを前記容器に被せるとき前記嵌合凸部がはまり込む楕円形状の嵌合凹部を形成し、その嵌合凹部の内周面に、前記容器に取り付けた状態で前記トップキャップを回動したとき、前記嵌合凸部の長径部が入り込む前記内面凹部を設けることを特徴とする、請求項１に記載のトップキャップ付き容器。
【請求項３】
前記容器に対して前記トップキャップを一方向に回動したとき、前記容器の一部が入り込む内面凹部を前記トップキャップの内周面に形成する一方、前記トップキャップを他方向に回動したとき、前記容器の一部が当たって前記トップキャップの回動を阻止する規制突部を前記トップキャップの内周面に形成することを特徴とする、請求項１または２に記載のトップキャップ付き容器。
【請求項４】
前記トップキャップを、前記内面凹部および前記傾斜面を有する内キャップと、その内キャップをはめ込む外キャップとで構成することを特徴とする、請求項１ないし３のいずれか１に記載のトップキャップ付き容器。
【請求項５】
前記容器の口部に、操作部材を操作することにより前記容器の内容物を噴口から噴出する噴射装置を取り付け、その噴射装置を被って前記容器に前記トップキャップを被せることを特徴とする、請求項１ないし４のいずれか１に記載のトップキャップ付き容器。
【発明の詳細な説明】
【技術分野】
【０００１】
この発明は、容器の口部に、例えばポンプ式やエアゾール式などの噴射装置を取り付け、その噴射装置を被って容器にトップキャップを被せて互いのクリック係止部を係止することにより掛け止めし、容器にトップキャップを着脱自在に取り付ける、化粧用の噴出器などのトップキャップ付き容器に関する。
【背景技術】
【０００２】
従来、例えば化粧用の噴出器の中には、化粧液などを入れた容器の口部に、スパウトやトリガーレバーなどの操作部材を操作することにより容器の内容物を噴口から噴出する噴射装置を取り付け、その噴射装置を被って容器にトップキャップを被せ、上から押すことにより互いのクリック係止部を係止して掛け止めし、または容器にトップキャップをねじ付けて取り付けるものがある。
【０００３】
【特許文献１】実開昭６０‐９２９５６号公報
【特許文献２】実開昭６０‐７１３７３号公報
【特許文献３】実開昭６０‐２７０４６号公報
【発明の開示】
【発明が解決しようとする課題】
【０００４】
ところが、このような噴出器では、外見からは、容器にトップキャップが互いのクリック係止部を係止して掛け止めして取り付けられているのか、ねじ付けて取り付けられているのか判別できないことから、キャップを取り外すときに戸惑うことがあった。
【０００５】
そこで、この発明の第１の目的は、トップキャップ付き容器において、トップキャップを取り外すときの戸惑いをなくしてトップキャップの着脱操作性を向上することにある。
【０００６】
この発明の第２の目的は、トップキャップ付き容器において、突起などを設けてデザイン性を損なうことなく、トップキャップを取り外すときの戸惑いをなくしてトップキャップの着脱操作性を向上することにある。
【０００７】
この発明の第３の目的は、トップキャップ付き容器において、トップキャップを取り外しやすい方向に回動したときのみ外れるようにし、トップキャップを取り外すときの戸惑いをなくしてトップキャップの着脱操作性を向上することにある。
【０００８】
この発明の第４の目的は、トップキャップ付き容器において、デザイン性を損なうことなくかつトップキャップの製作を容易とし、トップキャップを取り外すときの戸惑いをなくしてトップキャップの着脱操作性を向上することにある。
【０００９】
この発明の第５の目的は、ポンプ式やエアゾール式などの噴射装置を取り付けるトップキャップ付き容器において、トップキャップを取り外すときの戸惑いをなくしてトップキャップの着脱操作性を向上することにある。
【課題を解決するための手段】
【００１０】
そのため、この発明は、容器にトップキャップを被せて、凹凸などで形成した互いのクリック係止部を係止することにより掛け止めし、前記容器に前記トップキャップを着脱自在に取り付けるトップキャップ付き容器において、
前記容器に取り付けた状態で前記トップキャップを、被せて着脱する方向まわりに回動したとき、前記容器の一部が入り込む内面凹部を前記トップキャップの内周面に形成し、その内面凹部に、前記トップキャップを大きく回動するにつれて前記容器を押してその反作用で前記クリック係止部の係止を外す傾斜面を設ける、ことを特徴とする。
【００１１】
そして、例えば使用時に容器からトップキャップを取り外すときには、トップキャップを持ってトップキャップを被せるときと逆方向に引っ張り、互いのクリック係止部の係止を外す。または、トップキャップを持って、被せて着脱する方向まわりに回動し、容器の一部をトップキャップの内周面に形成する内面凹部に入れ、次いでトップキャップをさらに回動することによりトップキャップの傾斜面で容器を押してその反作用で互いのクリック係止部の係止を外す。
【００１２】
ここで、前記容器には楕円形状の嵌合凸部を形成する一方、前記トップキャップには、そのトップキャップを前記容器に被せるとき前記嵌合凸部がはまり込む楕円形状の嵌合凹部を形成し、その嵌合凹部の内周面に、前記容器に取り付けた状態で前記トップキャップを回動したとき、前記容器の一部である前記嵌合凸部の長径部が入り込む前記内面凹部を設けるようにするとよい。
【００１３】
そして、容器に取り付けた状態でトップキャップを、被せて着脱する方向まわりに回動したとき、容器に形成した楕円形状の嵌合凸部の長径部を、トップキャップに形成した楕円形状の嵌合凹部の内周面を滑らせて内面凹部に入れ、トップキャップのさらなる回動とともに長径部の反作用で互いのクリック係止部の係止を外す。
【００１４】
また、前記容器に対して前記トップキャップを一方向に回動したときは、前記容器の一部が入り込む内面凹部を前記トップキャップの内周面に形成する一方、前記トップキャップを他方向に回動したときは、前記容器の一部が当たって前記トップキャップの回動を阻止する規制突部を前記トップキャップの内周面に形成するとよい。
【００１５】
そして、容器に対してトップキャップを一方向に回動したときは、容器の一部を、トップキャップの内周面に形成した内面凹部に入り込ませ、トップキャップのさらなる回動とともにトップキャップの傾斜面で容器を押してその反作用で互いのクリック係止部の係止を外す。他方向に回動したときは、トップキャップの内周面に形成した規制突部に当ててトップキャップのそれ以上の回動を阻止する。
【００１６】
さらに、前記トップキャップは、前記内面凹部および前記傾斜面を有する内キャップと、その内キャップをはめ込む外キャップとで構成するとよい。そして、内キャップに機能性を持たせ、外キャップにデザイン性を持たせる。
【００１７】
ところで、前記容器の口部には、スパウトやトリガーレバーなどの操作部材を操作することにより前記容器の内容物を噴口から噴出する、ポンプ式やエアゾール式などの噴射装置を取り付け、その噴射装置を被って前記容器に前記トップキャップを被せることができる。
【発明の効果】
【００１８】
したがって、この発明によれば、例えば使用時に容器からトップキャップを取り外すときに、トップキャップを持ってトップキャップを被せるときと逆方向に引っ張り、互いのクリック係止部の係止を外し、またはトップキャップを持って、被せて着脱する方向まわりに回動し、容器の一部をトップキャップの内周面に形成する内面凹部に入れ、次いでトップキャップをさらに回動することによりトップキャップの傾斜面で容器を押してその反作用で互いのクリック係止部の係止を外すようにするので、トップキャップを引っ張っても、回動しても、容器から取り外すことができ、トップキャップを取り外すときの戸惑いをなくして操作性を向上することができる。
【００１９】
ここで、容器に楕円形状の嵌合凸部を形成する一方、トップキャップに、そのトップキャップを容器に被せるとき嵌合凸部がはまり込む楕円形状の嵌合凹部を形成し、その嵌合凹部の内周面に、容器に取り付けた状態でトップキャップを回動したとき、嵌合凸部の長径部が入り込む内面凹部を設ける構成とし、容器に取り付けた状態でトップキャップを回動したとき、容器に形成した楕円形状の嵌合凸部の長径部を、トップキャップに形成した楕円形状の嵌合凹部の内周面を滑らせて内面凹部に入れ、トップキャップのさらなる回動とともに長径部の反作用で互いのクリック係止部の係止を外すようにすると、容器に突起などを設けてデザイン性を損なうことなく、楕円形状よりなるやわらかい曲線で優美な外形を保持したまま、トップキャップを取り外すときの戸惑いをなくしてトップキャップの着脱操作性を向上することができる。
【００２０】
また、容器に対してトップキャップを一方向に回動したときは、容器の一部を、トップキャップの内周面に形成した内面凹部に入り込ませ、トップキャップのさらなる回動とともにトップキャップの傾斜面で容器を押してその反作用で互いのクリック係止部の係止を外す一方、他方向に回動したときは、トップキャップの内周面に形成した規制突部に当ててトップキャップの回動を阻止するようにすると、トップキャップを取り外しやすい方向に回動したときのみ外れるようにし、トップキャップを取り外すときの戸惑いをなくしてトップキャップの着脱操作性を向上することができる。
【００２１】
さらに、トップキャップを、内面凹部および傾斜面を有する内キャップと、その内キャップをはめ込む外キャップとで構成し、内キャップに機能性を持たせ、外キャップにデザイン性を持たせるようにすると、機能性を有する内キャップとデザイン性が要求される外キャップとを別個につくって組み合わせればよく、トップキャップの設計や製造を容易とすることができる。
【００２２】
ところで、容器の口部には、操作部材を操作することにより容器の内容物を噴口から噴出する噴射装置を取り付け、その噴射装置を被って容器にトップキャップを被せると、噴射装置を取り付けるトップキャップ付き容器において、トップキャップを取り外すときの戸惑いをなくしてトップキャップの着脱操作性を向上することができる。
【発明を実施するための最良の形態】
【００２３】
以下、図面を参照しつつ、この発明の実施の最良形態につき説明する。
図１には、この発明によるトップキャップ付き容器の外観を示す。
【００２４】
図中符号１００は、容器である。容器１００は、プラスチック材料、ガラス材料、金属材料などを用いてボトル形状につくり、内部に内容物として、化粧液、治療薬、洗浄液、殺虫薬などを収容してなる。容器１００上には、口部を被ってトップキャップ２００を被せて取り付ける。トップキャップ２００も、同様に、プラスチック材料、ガラス材料、金属材料などでつくる。容器１００は下に向けて、トップキャップ２００は上に向けて徐々に外径を円形から楕円形へと変化する。
【００２５】
図２には、そのトップキャップ付き容器のトップキャップ２００を取り外した状態を示す。
図示するように、容器１００の上面には、上向きに突出して楕円形状の嵌合凸部１０を形成してなる。そして、図示省略するが、その嵌合凸部１０上に中心を一致して円筒状の口部を設ける。口部には、ねじキャップ１２を被せて外周にねじ付け、ポンプ式の噴射装置１４を取り付けてなる。噴射装置１４には、この例では、操作部材として、噴口１５を有するスパウト１６を備える。
【００２６】
そして、スパウト１６に手を掛けて押し込むことにより不図示のステムを押し下げて図示しない圧力室の圧力を上昇し、不図示の吐出弁を開いて、容器１００内から吸い上げて噴射装置１４の圧力室内にある内容物をステム内を通して吐出し、スパウト１６の噴口１５から外部に向けて噴出する。噴出後、スパウト１６から手を離すと、不図示の付勢部材によりステムを押し上げてスパウト１６を元の位置に復帰するとともに、吐出弁を閉じて、圧力室内を負圧化することにより容器１００の内容物を不図示の吸上げパイプを通して圧力室に吸い上げる。そこで、再びスパウト１６を押し込むと、圧力室の内容物を噴口１５から噴出し、噴出後スパウト１６から手を離すと、圧力室に容器１００の内容物を吸い上げることができる。
【００２７】
この例では、操作部材としてスパウト１６を使用するが、すでに広く使用されるようにスパウトに代えてトリガーレバーなどを用いることもできる。また、容器１００の口部にポンプ式の噴射装置１４を取り付けたが、ポンプ式に代えてあまねく使用されるエアゾール式の噴射装置を取り付け、スパウトなどの操作部材を操作することにより容器１００の内容物を、内容物とともに収容するフロン等の噴射剤の圧力で外部に噴射することもできる。
【００２８】
図３には、噴射装置１４を被うように容器１００にトップキャップ２００を被せた状態を、トップキャップ２００を断面にして示す。図４には、その状態を側方から見て、同じくトップキャップ２００を断面にして示す。
トップキャップ２００は、図示するように、内キャップ２０と外キャップ２２とで構成する。
【００２９】
図５（Ａ）には内キャップ２０の縦断面を、（Ｂ）にはその縦断面と直交する方向の縦断面を、（Ｃ）には（Ａ）を下方から見て示す。
内キャップ２０は、楕円形状の下段筒部２４と、円筒形状の中段筒部２５と、その中段筒部２５より若干小さい円筒外周を持ち頂部２６を有する上段キャップ部２７とで構成する。
【００３０】
下段筒部２４内には、トップキャップ２００を容器１００に被せるとき、図３および図４に示すように嵌合凸部１０が緩みなくはまり込む楕円形状の嵌合凹部２８を形成する。また、その嵌合凹部２８の内周面には、容器１００に取り付けた状態で、容器１００に対してトップキャップ２００を一方向に回動したとき、容器１００に形成した楕円形状の嵌合凸部２８の長軸方向両端に設ける長径部１０ａ（図２参照）が入り込む内面凹部３０を図５に示すように設けてなる。そして、その内面凹部３０には、トップキャップ２００を回動するにつれて容器１００を押してその反作用で、後述するクリック係止部３１・３２の係止を外す傾斜面３３を図５に示すように傾斜して設ける。
【００３１】
また、トップキャップ２００の嵌合凹部２８の内周面には、容器１００に取り付けた状態で、容器１００に対してトップキャップ２００を他方向に回動したとき、楕円形状の嵌合凸部２８の長軸方向両端にある長径部１０ａが当たってトップキャップ２００のそれ以上の回動を阻止する規制突部３４を形成する。規制突部３４は、図５に示すように、縦方向に線状に突出している。
【００３２】
他方、下段筒部２１の外周面には、周方向に長い２つの嵌合突部３５を対称位置に形成してなる。そして、内面凹部３０および傾斜面３３を有する内キャップ２０を外キャップ２２内に挿入してはめ込むと、嵌合突部３５が外キャップ２２に係合して抜け止めされるようになっている。このようにして、内キャップ２０に機能性を持たせ、外キャップ２２にデザイン性を持たせるようにすると、機能性を有する内キャップ２０とデザイン性が要求される外キャップ２２とを別個につくって組み合わせればよく、トップキャップ２００の設計や製造などを容易とすることができる。
【００３３】
次に、中段筒部２５内には、トップキャップ２００を容器１００に被せるとき、図３および図４に示すように噴射装置１４のねじキャップ１２が緩みなくはまり込む。
【００３４】
また、上段キャップ部２７内には、図５に示すように、中段筒部２５寄りの同一周上に複数突部を設けてクリック係止部３１を形成する。これらのクリック係止部３１は、図３および図４に示すように容器１００にトップキャップ２００を被せたとき、噴射装置１４のねじキャップ１２に形成するクリック係止部３２に係止することにより掛け止めし、容器１００にトップキャップ２００を着脱自在に取り付ける。ねじキャップ１２に形成するクリック係止部３２は、図２に示すように、ねじキャップ１２の外周面に周方向に突出して形成してなる。
【００３５】
そして、例えば使用時に容器１００からトップキャップ２００を取り外すときには、トップキャップ２００を持ってトップキャップ２００を図１に示すａ方向に被せるときと逆方向ｂに引っ張り、互いのクリック係止部３１・３２の係止を外す。または、トップキャップ２００を持って、被せて着脱する方向ａ‐ｂまわりである図１中ｃの一方向に回動し、容器１００に形成した楕円形状の嵌合凸部１０の長軸方向両端にある長径部１０ａを、すなわち容器１００の一部をトップキャップ２００に形成した楕円形状の嵌合凹部２８の内周面を滑らせて小径部を乗り越えて内面凹部３０に入れ、トップキャップ２００のさらなる回動とともにトップキャップ２００の傾斜面３３で容器１００の長径部１０ａを押してその反作用で互いのクリック係止部３１・３２の係止を外す。
【００３６】
これにより、トップキャップ２００を引っ張っても、回動しても、容器１００から取り外すことができることから、トップキャップ２００を取り外すときに、外見上、容器１００にトップキャップ２００が互いのクリック係止部３１・３２を係止することにより掛け止めして取り付けられているのか、ねじ付けることにより取り付けられているのか判らないことから生ずる戸惑いをなくし、好みの取り外し方でトップキャップ２００を取り外すことができるようにしてトップキャップ２００の着脱操作性を向上することができる。
【００３７】
この例では、トップキャップ２００を他方向に回動したときは、トップキャップ２００の内周面に形成した規制突部３４に当ててトップキャップ２００のそれ以上の回動を阻止するが、他方向に回動しても、一方向と同様にしてトップキャップ２００を取り外すことができるようにしてもよい。
【００３８】
なお、図示例では、特に図３や図４の平面図から判るとおり、トップキャップ２００を持ってひねるとき回動しやすいように、頂部に向けてやや楕円形状になるように形成されている。また、嵌合凸部１０の肩部１０ｂ（図２参照）は、トップキャップ２００を被せたとき嵌合凹部２８に嵌合しやすいように、全周にわたってアールを付けることが好ましい。
【図面の簡単な説明】
【００３９】
【図１】この発明によるトップキャップ付き容器の外観斜視図である。
【図２】そのトップキャップ付き容器のトップキャップを取り外した状態の外観斜視図である。
【図３】そのトップキャップ付き容器で、噴射装置を被うように容器にトップキャップを被せた状態を、トップキャップを断面にして示す正面図とその平面図である。
【図４】同じくトップキャップを断面にして示すその側面図とその平面図である。
【図５】（Ａ）はそのトップキャップを構成する内キャップの縦断面図、（Ｂ）はその縦断面と直交する方向の縦断面図、（Ｃ）は（Ａ）の底面図である。
【符号の説明】
【００４０】
１０    嵌合凸部
１０ａ  嵌合凸部の長径部
１２    ねじキャップ
１４    噴射装置
１５    噴口
１６    スパウト（操作部材）
２０    内キャップ
２２    外キャップ
２８    嵌合凹部
３０    内面凹部
３１    クリック係止部
３２    クリック係止部
３３    傾斜面
３４    規制突部
３５    嵌合突部
１００    容器
２００    トップキャップ
【図１】
2007246161.tif 000003
【図２】
2007246161.tif 000004
【図３】
2007246161.tif 000005
【図４】
2007246161.tif 000006
【図５】
2007246161.tif 000007